(57)【要約】【課題】ポーリングにより音声データの伝送を行うデータ伝送システムにおいて、音声データの遅延を少なくする。【解決手段】データ伝送制御装置からデータ伝送装置へ同期データを要求するための１回目のポーリング信号（ポーリング▲１▼）を伝送する。データ伝送装置は、ポーリング▲１▼を受信すると、送信準備の出来ている音声データを１回目の音声データ（音声データ▲１▼）としてデータ伝送制御装置へ送信する。データ伝送制御装置は、音声データ▲１▼を受信すると、次の音声データ伝送を要求するための２回目のポーリング信号（ポーリング▲２▼）をデータ伝送装置へ送信する。ポーリング▲２▼を受信したデータ伝送装置は、２回目の音声データ（音声データ▲２▼）をデータ伝送制御装置へ送信する。このようにして、１周期（＝１フレーム）内で２回の音声データの伝送を行う。【選択図】    図１
2004180008.tif 000002
【特許請求の範囲】
【請求項１】
データ伝送制御装置とデータ伝送装置とを用い、前記データ伝送制御装置により送信されるポーリング信号に基づいて、前記データ伝送装置から前記データ伝送制御装置へ音声データの伝送を行うデータ伝送制御方法であって、前記周期の先頭で前記データ伝送制御装置から前記データ伝送装置へ所定の周期で周期ポーリング信号を送信する手順と、前記データ伝送装置が前記周期ポーリング信号を受信し、音声データを送信する手順と、前記データ伝送制御装置が前記音声データを受信し、前記周期の内の所定のタイミングで前記データ伝送制御装置から前記データ伝送装置へ音声ポーリング信号を送信する手順と、前記データ伝送装置が前記音声ポーリング信号を受信し、音声データを送信する手順とを有することを特徴とするデータ伝送制御方法。
【請求項２】
データ伝送制御装置とデータ伝送装置とを具備し、前記データ伝送制御装置により送信されるポーリング信号に基づいて、前記データ伝送装置から前記データ伝送制御装置へ音声データの伝送を行うデータ伝送システムに用いられるデータ伝送制御装置であって、時間カウント手段と、前記時間カウント手段が所定のポーリング周期をカウントする毎に周期ポーリング信号を生成する周期ポーリング生成手段と、前記時間カウント手段が所定のポーリング周期の間の所定の値をカウントする毎に音声ポーリング信号を生成する音声ポーリング生成手段と、前記周期ポーリング信号および前記音声ポーリング信号を送信する送信手段とを有することを特徴とするデータ伝送制御装置。
【請求項３】
前記周期ポーリング信号の送信後に前記データ伝送装置から音声データを受信したときに、前記音声ポーリング信号を生成することを特徴とする請求項２記載のデータ伝送制御装置。
【請求項４】
請求項２または３記載のデータ伝送制御装置と、前記データ伝送制御装置から周期ポーリング信号を受信したときおよび音声ポーリング信号を受信したときに音声データを送信するデータ伝送装置とを具備することを特徴とするデータ伝送システム。
【請求項５】
前記データ伝送装置は、前記周期ポーリング信号を受信したときに、前記音声データと共に映像データを送信することを特徴とする請求項４記載のデータ伝送システム。
【発明の詳細な説明】
【０００１】
【発明の属する技術分野】
本発明は、データ伝送制御方法、データ伝送制御装置、およびデータ伝送システムに関し、特に、音声データの遅延を少なくできるデータ伝送制御方法、データ伝送制御装置、およびデータ伝送システムに関する。
【０００２】
【従来の技術】
従来、家庭内、オフィス内などの比較的狭い範囲内において、各種映像機器、パーソナルコンピュータ装置、およびその周辺装置などの複数の機器間で、それらの機器が扱うデータを伝送しようとする場合に、各機器間を何らかの有線伝送路で接続する代わりに、各機器に無線信号の送受信装置（無線伝送装置）を接続して、無線データ伝送が出来るように構成することが知られている。無線データ伝送を行うように構成することで、各機器間を直接有線伝送路で接続する必要がなくなるため、データ伝送システムの構成を簡単にすることが出来る。
【０００３】
従来、無線データ伝送を行うための伝送制御方法として、ポーリング制御が知られている。この方法は、データ伝送システム内の任意の１台のデータ伝送装置をデータ伝送制御装置とし、そのデータ伝送制御が伝送システム内の他のデータ伝送装置に対して順番にポーリング信号を送信し、各データ伝送装置からのデータ送信がポーリング信号に応答することで順番に行われるようにしたものである。ポーリングにより伝送制御を行うことで、伝送効率を改善することが出来る。
【０００４】
ところで、データ伝送システムで伝送するデータには、例えば音声データや映像データといった同期データのように、実時間でのデータ到達が要求されるデータと、コンピュータのデータといった非同期データのように、多少の遅延は許されるものの確実なデータ伝送が要求されるデータの２種類がある。そして、その両方のデータを伝送するのに適したデータ伝送制御方法として、特許文献１に記載されたものがある。
【０００５】
図６は、特許文献１に記載されたデータ伝送制御方法に用いる伝送フレームの構成を示す図であり、図７は、図６の伝送フレームにおけるストリーム伝送エリアの構成を示す図である。
【０００６】
図６に示すように、所定の長さを有する１フレーム期間の先頭部分に管理エリアが設定され、管理エリアに続いてデータエリアが設定されている。１フレームの最後の所定ビットは、各データ伝送装置でのフレームタイミングのずれを吸収するためのフレームギャップであり、このフレームギャップの期間はデータ伝送が行われない。
【０００７】
管理エリアでは、ネットワーク内のルートノード（データ伝送制御装置に相当）が、同期信号およびネットワーク内の他のノードに送信するための下り回線の制御信号を生成し、その同期信号および制御信号をネットワーク内の他のノードへ無線で送信する。この同期信号には、例えばネットワークに固有の識別コードデータが付与されており、下り回線の制御信号には送信先ノードのアドレスデータが付与されている。また、管理エリアでは、ルートノード以外の各ノードはルートノードに対する上り回線の制御信号を生成し、ルートノードへ無線で送信する。この上り回線の制御信号としては、例えばストリームデータの送信要求信号がある。この送信要求信号は、送信元のノードまたは受信先のノードの少なくとも一方から送信され、送信元のノードまたは受信先のノードのアドレスデータや、送信されるストリームデータの転送レートなどのデータが伝送される。
【０００８】
データエリアは、ストリーム伝送エリアと、非同期伝送エリアとからなる。ストリーム伝送エリアは同期データを伝送するためのエリアであり、非同期伝送エリアは非同期データを伝送するためのエリアである。ストリーム伝送エリアにおいて、データ伝送制御装置は、データ伝送システム内の他のデータ伝送装置に対してポーリング信号Ｐ１を送信し、そのポーリング信号Ｐ１により指定された送信元アドレスを有するデータ伝送装置は、データ伝送制御装置へストリームデータｄ１の送信を行う。次にポーリング信号Ｐ２を送信し、ポーリング信号Ｐ２により指定された送信元アドレスを有するデータ伝送装置は、データ伝送制御装置へストリームデータの送信を行う。これ以降、ポーリング信号の送信と、そのポーリング信号に基づくストリームデータの送信とを交互に行う。そして、ポーリング信号Ｐ４に対するデータｄ４の送信が完了すると非同期伝送エリアに移行し、同期データの送受信と同様にポーリング信号を送信し、ポーリング信号に対応して非同期データを送信することを交互に行っていく。ただし、ポーリング信号による送信要求があっても、全てのフレーム期間で、該当するデータ伝送装置から送信するストリームデータがあるとは限らない。図７では、ポーリング信号Ｐ２が送信された時、ポーリング信号Ｐ２で指定されたデータ伝送装置は、送信するストリームデータが一時的にない状態であり、ストリームデータが送信されていない。
【０００９】
上記従来例では、同期データと非同期データの伝送制御方法が記述されており、特に等時性が要求される同期データ、例えば複数フレームの音声データと複数フレームの映像データを伝送する必要がある場合に、ポーリング信号を送信し、そのポーリング信号に基づいてストリームとして送信するように構成されている。１回のデータ伝送では予め定められた一定量であるＭバイト（Ｍは１以上の整数）のデータが無線伝送されるが、音声データを受け取ったデータ伝送制御装置がその受け取った音声データを出力する際に例えば２Ｍバイトの音声データを受け取ってから音声が出力出来るように構成されている場合には、２周期経過して初めて音声を出力出来ることになる。
【００１０】
【特許文献１】
特開平１１−２９８４７７  号公報
【００１１】
【発明が解決しようとする課題】
前記従来の伝送制御方法では、１周期で１回のストリームしか送信出来ないので、特に音声データに遅延が発生してユーザにとっては音声の遅延が気になる程度になってしまう。このような場合にフレーム周期を短くして音声の遅延を回避する方法が考えられるが、フレーム周期を短くすると、他の映像データや非同期データに割り当てられる伝送時間が削られることになるので良くない。また、１回のデータ伝送で送信するバイト数を増やすことも考えられるが、それでは、システムが変わるとそのシステムに合わせて音声データ伝送バイト数を修正して使用する必要があり良くない。
【００１２】
そこで、本発明の目的は、１回のデータ伝送で送信するバイト数を増やさずに音声データの遅延を少なくすることが出来るデータ伝送制御方法、データ伝送制御装置、およびデータ伝送システムを提供することにある。
【００１３】
【課題を解決するための手段】
本発明のデータ伝送制御方法は、データ伝送制御装置とデータ伝送装置とを用い、前記データ伝送制御装置により送信されるポーリング信号に基づいて、前記データ伝送装置から前記データ伝送制御装置へ音声データの伝送を行うデータ伝送制御方法であって、前記周期の先頭で前記データ伝送制御装置から前記データ伝送装置へ所定の周期で周期ポーリング信号を送信する手順と、前記データ伝送装置が前記周期ポーリング信号を受信し、音声データを送信する手順と、前記データ伝送制御装置が前記音声データを受信し、前記周期の内の所定のタイミングで前記データ伝送制御装置から前記データ伝送装置へ音声ポーリング信号を送信する手順と、前記データ伝送装置が前記音声ポーリング信号を受信し、音声データを送信する手順とを有することを特徴とする。この構成により、周期ポーリングと周期ポーリングとの間に音声ポーリングが行われることで、ポーリング周期内に複数回の音声データの伝送が行われるので、音声データの遅延を少なくすることが出来る。
【００１４】
また、本発明のデータ伝送制御装置は、データ伝送制御装置とデータ伝送装置とを具備し、前記データ伝送制御装置により送信されるポーリング信号に基づいて、前記データ伝送装置から前記データ伝送制御装置へ音声データの伝送を行うデータ伝送システムに用いられるデータ伝送制御装置であって、時間カウント手段と、前記時間カウント手段が所定のポーリング周期をカウントする毎に周期ポーリング信号を生成する周期ポーリング生成手段と、前記時間カウント手段が所定のポーリング周期の間の所定の値をカウントする毎に音声ポーリング信号を生成する音声ポーリング生成手段と、前記周期ポーリング信号および前記音声ポーリング信号を送信する送信手段とを有することを特徴とする。この構成により、周期ポーリングと周期ポーリングとの間に音声ポーリングが行われることで、ポーリング周期内に複数回の音声データの伝送が行われるので、音声データの遅延を少なくすることが出来る。
【００１５】
さらに、本発明のデータ伝送制御装置は、前記周期ポーリング信号の送信後に前記データ伝送装置から音声データを受信したときに、前記音声ポーリング信号を生成することを特徴とする。この構成により、ポーリング周期毎の音声データの受信を確認した後に音声ポーリング信号を送信することとなる。
【００１６】
また、本発明のデータ伝送システムは、本発明のデータ伝送制御装置と、前記データ伝送制御装置から周期ポーリング信号を受信したときおよび音声ポーリング信号を受信したときに音声データを送信するデータ伝送装置とを具備することを特徴とする。この構成により、周期ポーリングに対する音声データ伝送と次の周期ポーリングに対する音声データ伝送との間に、音声ポーリングとそれに対する音声データ伝送が行われることで、ポーリング周期内で複数回の音声データの伝送が行われるので、音声データの遅延を少なくすることが出来る。
【００１７】
さらに、本発明のデータ伝送システムは、前記データ伝送装置が、前記周期ポーリング信号を受信したときに、前記音声データと共に映像データを送信することを特徴とする。この構成により、周期ポーリングに対する音声データ伝送および映像データ伝送と次の周期ポーリングに対する音声データ伝送および映像データ伝送の間に、音声ポーリングに対する音声データ伝送が行われることで、ポーリング周期内で複数回の音声データの伝送が行われるので、映像データおよび音声データの伝送を行い、かつ伝送される音声データの遅延を少なく出来る。
【００１８】
【発明の実施の形態】
以下、本発明の実施の形態について、図面を用いて説明する。
本発明の実施の形態のデータ伝送システムは、図２に示すように、データ伝送制御装置１と、それぞれがデータ伝送制御装置１に接続されたモニタ２、映像記録再生装置３、およびコントローラ４と、データ伝送装置５と、データ伝送装置５に接続された監視カメラ６とを具備する。監視カメラ６はマイクロホン（以下、マイクという）を備えており、撮像と共に録音を行うことができる。モニタ２はスピーカを備えており、映像の表示と共に音声の出力を行うことができる。データ伝送制御装置１とデータ伝送装置５とは、データ伝送制御装置１の制御に従って無線データ通信を行うことができる。なお、ここでは、データ伝送装置５および監視カメラ６を１組だけ図示したが、システム構成によりデータ伝送装置６の数および監視カメラ６の数は任意である。
【００１９】
図２において、コントローラ４は、データ伝送制御装置１、モニタ２、および映像記録再生装置３を制御する機能を有する。データ伝送制御装置１は、コントローラ４の指令に従って動作する。そして、データ伝送制御装置１は、データ伝送装置５との間で無線データ通信を行うことにより、監視カメラ６で撮像された映像信号、および録音された音声信号を受信することができる。映像記録再生装置３はコントローラ４の指令に従って動作する。そして、映像記録再生装置３は、データ伝送制御装置１が受信した、監視カメラ６で撮像された映像信号、および録音された音声信号を記録、再生する。モニタ２はコントローラ４の指令に従って動作する。そして、モニタ２は、監視カメラ６で撮像された映像信号および録音された音声信号、または映像記録再生装置３から再生された映像信号および音声信号を表示し出力する。
【００２０】
図１は、図２のデータ伝送システムにおける伝送制御シーケンスを示す図であ。以下、図１を参照しながら、図２のデータ伝送システムにおける伝送制御シーケンスについて説明する。
【００２１】
データ伝送制御装置１からデータ伝送装置５へ同期データを要求するための１回目のポーリング信号（以下、ポーリング▲１▼という）を伝送する。データ伝送装置５は、ポーリング▲１▼を受信すると、送信準備の出来ている音声データを１回目の音声データ（以下、音声データ▲１▼という）としてデータ伝送制御装置１へ送信する。データ伝送制御装置１は音声データ▲１▼を受信すると、次の音声データ伝送を要求するための２回目のポーリング信号（以下、ポーリング▲２▼という）をデータ伝送装置５へ送信する。ポーリング▲２▼を受信したデータ伝送装置５は２回目の音声データ（以下、音声データ▲２▼という）をデータ伝送制御装置１へ送信する。このようにして、１周期（＝１フレーム）内で２回の音声データの伝送を行う。
【００２２】
図３は、図２のデータ伝送制御装置１の構成を示すブロック図、図４は図２のデータ伝送装置５の構成を示すブロック図、図５は、図１の伝送制御シーケンスを実行するときの伝送制御装置１の動作を示すフローチャートである。以下、図３乃至図５を参照しながら、データ伝送制御装置１ならびにデータ伝送装置５の内部構成、およびそれらの動作について説明する。
【００２３】
データ伝送制御装置１は、図３に示すように、受信ＲＦ（Ｒａｄｉｏ  Ｆｒｅｑｕｅｎｃｙ  ）部１１と、ベースバンド部１２と、受信フレーム解析部１３と、周期カウンタ部１４と、周期ポーリング生成部１５と、音声ポーリング生成部１６と、送信フレーム生成部１７と、ベースバンド部１８と、送信ＲＦ部１９とを具備する。
【００２４】
受信ＲＦ部１１は、データ伝送装置５から無線で送信された信号を受信し、ベースバンド信号に変換してベースバンド部１２に出力する。ベースバンド部１２は、入力されたベースバンド信号からビット同期を確立し、さらにフレームの正しさを解析して以降に続くフレームを受信フレーム解析部１３に出力する。受信フレーム解析部１３は、受信フレームを解析し、その結果を音声ポーリング生成部１６に出力する。周期カウンタ部１４は、データ伝送制御装置１のポーリング周期をカウントし、その周期のタイミング毎に周期ポーリング生成部１５にタイミング信号を出力する。また、周期カウンタ部１４は、ポーリング周期の中央のタイミングで音声ポーリング生成部１６にタイミング信号を出力する。周期ポーリング生成部１５は、周期カウンタ部１４からタイミング信号が与えられると、周期ポーリング情報を生成し、送信フレーム生成部１７に出力する。音声ポーリング生成部１６は、周期カウンタ部１４から出力が与えられると、音声ポーリング情報を生成し、送信フレーム生成部１７に出力する。送信フレーム生成部１７は、送信先アドレスを含むヘッダおよびトレイラなどの付加情報を生成し、周期ポーリング生成部１５から入力された周期ポーリング情報と合わせて送信フレームを作成し、ベースバンド処理部１８に出力する。同様に、送信フレーム生成部１７は、音声ポーリング付加情報を生成し、音声ポーリング生成部１６から入力された音声ポーリング情報と合わせて送信フレームを作成し、ベースバンド処理部１８に出力する。ベースバンド処理部１８は、送信フレームに、受信側でビット同期を確立するために必要な情報および受信データの有効性を確認するための情報を付加し、送信ＲＦ部１９に出力する。送信ＲＦ部１９は、入力されたベースバンド信号を無線周波信号に変換し、送信する。
【００２５】
データ伝送装置５は、図４に示すように、受信ＲＦ部５１と、ベースバンド部５２と、受信フレーム解析部５３と、送信付加情報生成部５４と、送信フレーム生成部５５と、映像コーデック５６と、音声コーデック５７と、ベースバンド部５８と、送信ＲＦ部５９とを具備する。
【００２６】
受信ＲＦ部５１は、データ伝送制御装置１から無線で送信された信号を受信し、ベースバンド信号に変換してベースバンド部５２に出力する。ベースバンド部５２は、入力されたベースバンド信号からビット同期を確立し、さらにフレームの正しさを解析して以降に続くフレームを受信フレーム解析部５３に出力する。受信フレーム解析部５３は、受信フレームを解析し、その結果を送信付加情報生成部５４に出力する。送信付加情報生成部５４は、データ転送先のアドレスを生成し、送信フレーム生成部５５に出力する。映像コーデック５６は、監視カメラ６で生成された映像信号を符号化し、送信フレーム生成部５５に出力する。音声コーデック５７は、監視カメラ６のマイクで録音された音声信号を符号化し、送信フレーム生成部５５に出力する。送信フレーム生成部５５は、映像コーデック５６から入力される符号化された映像信号に、送信付加情報生成部５４で生成された付加情報（データ転送先のアドレス）を付加して送信フレームを作成する。また、送信フレーム生成部５５は、音声コーデック５７から入力される符号化された音声信号に、送信付加情報生成部５４で生成される付加情報を付加して送信フレームを作成する。ベースバンド処理部５８は、送信フレームに、受信側でビット同期を確立するために必要な情報および受信データの有効性を確認するための情報を付加し、送信ＲＦ部５９に出力する。送信ＲＦ部５９は、入力されたベースバンド信号を無線周波信号に変換し、送信する。
【００２７】
図５に示すように、周期カウンタ部１４はポーリング周期のカウントを開始する（ステップＳＴ１）。そして、所定の周期時間Ｎが経過したか否かを判定し（ステップＳＴ２）、所定の周期時間Ｎが経過したと判定すると（ステップＳＴ２でＹｅｓ  ）、周期ポーリング生成部１５に対して、所定の周期時間Ｎのタイミングであることを示すタイミング信号を出力する。送信フレーム生成部１７は、送信先アドレスを含むヘッダおよびトレイラなどの付加情報を作成する（ステップＳＴ３）。周期ポーリング生成部１５は、周期ポーリング情報を作成し、送信フレーム生成部１７に出力する（ステップＳＴ４）。送信フレーム生成部１７は、ステップＳＴ４で作成された周期ポーリング情報とステップＳＴ３で作成された付加情報とを合わせてをポーリングフレーム作成し、ベースバンド部１８に出力する。ベースバンド部１８は、送信フレーム生成部１７で作成された送信フレームである周期ポーリングフレームに、受信側で同期を確立するために必要な情報および受信データの有効性を確認するための情報を付加し、送信ＲＦ部１９に出力する。送信ＲＦ部１９は、入力されたベースバンド帯域の信号を無線周波に変換し、データ伝送装置５へ送信する。これにより、周期ポーリング信号が送信される（ステップＳＴ５）。
【００２８】
データ伝送装置５は、データ伝送制御装置１からの周期ポーリング信号を受信ＲＦ部５１で受信する。次に、ベースバンド処理部５２においてビット同期を確立し、さらにフレームの正しさを解析して以降に続くフレームを受信フレーム解析部５３に出力する。受信フレーム解析部５３では、受信したポーリングフレームが何のデータを要求しているのかを調べる。次に、送信付加情報生成部５４でデータを転送するための転送先のアドレスを生成し、送信フレーム生成部５５に出力する。また、監視カメラ５からの映像信号を映像コーデック５６により符号化し、監視カメラ５からの音声信号を音声コーデック５７により符号化して送信フレーム生成部５５に入力する。送信フレーム生成部５５は、映像コーデック５６で符号化された映像信号、音声コーデック５７で符号化された音声信号、および送信付加情報生成部で作成された付加情報から送信フレームを作成する。この送信フレームは、ベースバンド部５８に出力されて受信側で同期を確立するために必要な情報および受信データの有効性を確認するための情報が付加され、次に送信ＲＦ部５９に出力され送信される。
【００２９】
データ伝送制御装置１は、周期ポーリング信号送信後、データ伝送装置５から同期データが送信されてくるのを待つ。そして、データ伝送制御装置１からの信号を受信ＲＦ部１１で受信し、ベースバンド処理部１２にてビット同期を確立し、さらにフレームの正しさを解析して、以降に続くフレームを受信フレーム解析部１３に出力する。受信フレーム解析部１３では、受信データが周期ポーリングを受けての同期データか否かを判定する。周期ポーリングによるデータは、周期ポーリングを送信した後に受信するデータとする。受信フレーム解析部１３は、受信データが周期ポーリングを受けての同期データであると判定すると（ステップＳＴ６でＹｅｓ  ）、音声ポーリング生成部１６に対して、周期ポーリングを受けての同期データを受信したことを示す信号を出力する。送信フレーム生成部１７は、送信先アドレスを含むヘッダおよびトレイラなどの音声ポーリング付加情報を作成する（ステップＳＴ７）。音声ポーリング生成部１６は、周期ポーリングを受けての同期データを受信したことを示す信号を受信フレーム解析部１３から受け取ると、音声ポーリング信号を作成する（ステップＳＴ８）。この音声ポーリング情報は、データの先頭バイトに音声データ要求であることを示す固有番号を付与することで音声ポーリング▲１▼と区別する。次に、周期カウンタ部１４がポーリング周期Ｎの１／２であるＮ／２カウントしたか否かを判定し、Ｎ／２カウントしたときに、ポーリング周期の中央の時間が経過したことを示すタイミング信号を音声ポーリング生成部１６に出力する（ステップＳＴ９）。音声ポーリング生成部１６は、周期カウンタ部１４からタイミング信号を受け取ると、ステップＳＴ８で作成した音声ポーリング信号を送信フレーム生成部１７に出力する。送信フレーム生成部１７は、音声ポーリング生成部１６から入力された音声ポーリング信号にステップＳＴ７で作成した音声ポーリング付加情報を合わせて送信フレームを作成する。作成された送信フレームである音声ポーリングフレームは、ベースバンド部１８にて受信側で同期を確立するために必要な情報および受信データの有効性を確認するための情報が付加され、送信ＲＦ部１９によりポーリング▲２▼として送信される（ステップＳＴ１０）。
【００３０】
ここで、ポーリング▲２▼をポーリング周期Ｎの１／２のタイミング、すなわちポーリング周期の中央で送信するのは以下の理由による。ポーリング▲１▼による同期データ受信の直後に次の音声データ伝送要求を行うと、音声データが伝送されてくる間隔が短すぎるため、周期ポーリングにより伝送されてきた音声データが後から伝送されてきた音声データにより受信フレーム解析部１３内のバッファメモリ（図示せず）上で書き潰されてしまう。そこで、本実施の形態では、ある一定の時間離すために、周期カウンタ部１４を用いて、周期時間Ｎの半分である時間Ｎ／２が経過してから次の音声データの伝送を要求するポーリング信号を発行するようにして、周期ポーリングにより伝送されてきた音声データと音声ポーリングとの間隔を一定時間離すようにした。
【００３１】
このように、本発明の実施の形態によれば、音声データに限り、１ポーリング周期内で２回の伝送が行われるので、１回の伝送でＭバイトのデータ伝送が行われるとすると、２回の伝送で２Ｍバイトの伝送が行われることになる。よって、従来のデータ伝送制御方法と比較して同一時間内にＭバイト多くの音声データを伝送出来ることになる。
【００３２】
また、音声データを受け取り、出力するデータ伝送制御装置が、ある一定量の音声データを蓄積しないと出力出来ないように構成されている場合、この一定量の音声データをより速く伝送することが遅延を少なくするポイントとなる。本実施の形態により、同一ポーリング周期内の中央で音声データを伝送することにより、この一定量の音声データを迅速に伝送することが出来るため、音声データの遅延を少なくすることが出来る。
【００３３】
なお、以上の説明では、周期ポーリングの中央で音声ポーリングを行うものとしたが、これは遅延時間を短縮する効果が最大の例を記載したものである。しかし、本発明における音声ポーリングのタイミングは、周期ポーリングの中央に限定されるものではなく、周期ポーリングにより伝送されてきた音声データが後から伝送されてきた音声データによりバッファメモリ上で書き潰されないようなタイミングであれば良い。また、ポーリング周期内に２回以上の音声ポーリングを行うように構成しても良い。
【００３４】
【発明の効果】
以上のように、本発明のデータ伝送制御方法によれば、周期ポーリングと周期ポーリングとの間に音声ポーリングを行い、ポーリング周期内に２回以上の音声データを受信することにより、音声データの遅延を少なくすることが出来る。
【図面の簡単な説明】
【図１】本発明の実施の形態のデータ伝送システムにおける伝送制御シーケンスを示す図、
【図２】本発明の実施の形態のデータ伝送システムを示す図、
【図３】本発明の実施の形態のデータ伝送システムにおけるデータ伝送制御装置のブロック図、
【図４】本発明の実施の形態のデータ伝送システムにおけるデータ伝送装置のブロック図、
【図５】本発明の実施の形態における伝送制御装置の動作を示すフローチャート、
【図６】従来のデータ伝送システムにおけるフレーム構成を示す図、
【図７】従来のデータ伝送システムにおけるストリーム伝送エリアの構成を示す図である。
【符号の説明】
１  データ伝送制御装置
２  モニタ
３  映像記録再生装置
４  コントローラ
５  データ伝送装置
６  監視カメラ
１１、５１  受信ＲＦ部
１２、１８、５２、５８  ベースバンド部
１３、５３  受信フレーム解析部
１４  周期カウンタ部
１５  周期ポーリング生成部
１６  音声ポーリング生成部
１７、５５  送信フレーム生成部
１９、５９  送信ＲＦ部
５４  送信付加情報生成部
５６  映像コーデック
５７  音声コーデック
【図１】
2004180008.tif 000003
【図２】
2004180008.tif 000004
【図３】
2004180008.tif 000005
【図４】
2004180008.tif 000006
【図５】
2004180008.tif 000007
【図６】
2004180008.tif 000008
【図７】
2004180008.tif 000009